(57)【要約】【課題】金型の構成の簡素化、金型に要するコストの削減、光学素子の歩留まりの向上および光学素子の光学性能の確保を実現することができる光学素子および光学素子成形金型を提供する。【解決手段】所定の光学機能を有する光学機能面２、３およびその保持部６が同一材料で一体的に形成された光学素子２１であって、保持部６の外周面上に、光学機能面２、３の径方向における外側に向かって突出された位置調整用凸部２５を有し、位置調整用凸部２５に光学素子成形金型のゲート内で成形された部位３０を備えた。【選択図】      図１
2007121512.tif 000002
【特許請求の範囲】
【請求項１】
所定の光学機能を有する光学機能面およびその保持部が同一材料で一体的に形成された光学素子であって、
前記保持部の外周面上に、前記光学機能面の径方向における外側に向かって突出された位置調整用凸部を有し、前記位置調整用凸部に光学素子成形金型のゲート内で成形された部位を備えたこと
を特徴とする光学素子。
【請求項２】
前記位置調整用凸部を摘んだ状態または前記位置調整用凸部に調整部材を嵌合させた状態で、前記位置調整用凸部を、光軸方向、前記光軸を中心とした回転方向、前記光軸方向に直交する前記位置調整用凸部の幅方向またはこれら各方向のうちの少なくとも２つの方向を合成させた合成方向に移動させることによって、前記位置調整用凸部を移動させる方向の位置調整が可能とされていること
を特徴とする請求項１記載の光学素子。
【請求項３】
前記位置調整用凸部が、光学素子成形金型のゲート内で成形された部位とされていること
を特徴とする請求項１または２記載の光学素子。
【請求項４】
前記位置調整用凸部の前記径方向における外側位置に、光学素子成形金型のゲート内で成形された部位を有すること
を特徴とする請求項１または２記載の光学素子。
【請求項５】
光学機能面が形成された光学素子を成形する光学素子成形金型であって、
前記光学機能面を包囲する外周面上に、前記光学機能面の径方向における外側に向かって突出された位置調整用凸部を有する光学素子を成形可能とされ、かつ、上金型と下金型の２個の金型によって形成されていること
を特徴とする光学素子成形金型。
【請求項６】
前記位置調整用凸部を摘んだ状態または前記位置調整用凸部に調整部材を嵌合させた状態で、前記位置調整用凸部を、光軸方向、前記光軸を中心とした回転方向、前記光軸方向に直交する前記位置調整用凸部の幅方向またはこれら各方向のうちの少なくとも２つの方向を合成させた合成方向に移動させることによって、前記位置調整用凸部を移動させる方向の位置調整が可能とされた光学素子を成形可能とされていること
を特徴とする請求項５記載の光学素子成形金型。
【請求項７】
前記位置調整用凸部をゲート内で成形すること
を特徴とする請求項５または６記載の光学素子成形金型。
【請求項８】
前記位置調整用凸部の前記径方向における外側に対応する位置に、ゲートを有すること
を特徴とする請求項５または６記載の光学素子成形金型。
【発明の詳細な説明】
【技術分野】
【０００１】
本発明は、光学素子および光学素子成形金型に係り、特に、光学素子の位置調整を行うのに好適な光学素子および光学素子成形金型に関する。
【背景技術】
【０００２】
従来から、光ピックアップ装置においては、光源から出射された後に光ディスクに照射して反射された光を受光素子によって受光するようになっていた。
【０００３】
また、このような光ピックアップ装置においては、従来から、受光素子の入射側の位置にセンサレンズを配設することや、光源の出射側の位置に回折格子を配設することが行われていた。
【０００４】
センサレンズは、光ディスクからの反射光に非点収差を付与するとともに、この反射光を受光素子に向かって集光させる機能を有し、回折格子は、光源から出射された光をトラッキングのために３ビームに変換して出射させる機能を有している。
【０００５】
図１２、図１３は、このような光ピックアップ装置に搭載されるセンサレンズの一例を示すものであり、このセンサレンズ１は、第１レンズ面２（シリンドリカル面）および第２レンズ面３の２つのレンズ面２、３を有するレンズ本体５と、このレンズ本体５を外側から保持する円筒形状のホルダ６とによって構成されている。
【０００６】
レンズ本体５とホルダ６とは、金型を用いた樹脂材料の射出成形によって一体的に成形されている。
【０００７】
さらに、図１２、図１３に示すように、ホルダ６の外周面６ａには、センサレンズ１の位置調整を行うための四角形の平面形状を有する位置調整用凹部７が、光軸８側に向かって凹入するように成形されている。
【０００８】
この位置調整用凹部７には、調整ピン１０（図１３参照）がその先端部から挿入可能とされており、この調整ピン１０を位置調整用凹部７に挿入した状態で、調整ピン１０を、例えば、光軸８方向へ移動させたり、あるいは、光軸８を中心とした回転方向へ回転させたりすることによって、センサレンズ１の光軸８方向や回転方向等の位置調整が可能となっている。
【０００９】
そして、このようなセンサレンズ１を光ピックアップ装置に搭載する際には、光ディスクからの反射光が受光素子の受光部に適切に導かれるようにするために、光ピックアップ装置のダイカスト上において、センサレンズ１に対して前述した位置調整を行った上で、センサレンズ１をダイカスト等の基体に接着剤等の固定手段によって固定するようになっていた。
【００１０】
このようにセンサレンズ１の位置調整が行われた光ピックアップ装置は、センサレンズ１が所望の光学機能を適切に発揮することによって、光ディスクに記録された情報の再生や、光ディスクに対する情報の記録を適切に行うことができる。
【００１１】
また、図示はしないが、回折格子についても、センサレンズ１と同様に、回折格子本体の外側に回折格子本体を保持する円筒形状のホルダが一体成形されているとともに、ホルダの外周面にセンサレンズと同様の位置調整用凹部が成形されていた。
【００１２】
このような回折格子も、センサレンズ１と同様に、ダイカスト上において位置調整が行われた後に、ダイカストに接着剤等の固定手段によって固定されるようになっていた。
【００１３】
【特許文献１】特開２０００−１８７１５６号公報
【発明の開示】
【発明が解決しようとする課題】
【００１４】
ところで、従来のセンサレンズ１を成形するには、図１４に示すように、第１レンズ面２を成形する可動側の金型（下金型１１）と、第２レンズ面３を成形する固定側の金型（上金型１２）とに加えて、光軸８方向に直交する径方向に摺動可能とされ、位置調整用凹部７を成形可能とされた第１スライド金型１４と、この第１スライド金型１４にキャビティ１５を隔てて対向する第２スライド金型１６とを用意する必要があった。
【００１５】
このような４つの金型１１、１２、１４、１６によって構成されるレンズ成形金型１７を用いるのは、光軸８方向に移動する金型１１、１２だけでは、位置調整用凹部７が成形された成形品を金型から取り出すことが不可能であることによるものである。なお、成形品は、レンズ成形金型１７のキャビティ１５内において成形された部位（レンズ１自体）、キャビティ１５に連通するゲート内において成形された部位（以下、ゲート内成形部位と称する）、ゲートに連通するランナ内において成形された部位およびランナに連通するスプール内において成形された部位からなる。
【００１６】
このように、従来は、センサレンズ１の成形のために４個の金型１１、１２、１４、１６を用意する必要があったことにより、レンズ成形金型１７全体の構成が複雑化してしまい、ひいては、センサレンズ１の製造設備の大型化を招いてしまうといった問題が生じていた。
【００１７】
また、レンズ成形金型１７の製造、導入および運用に要するコストが高価になってしまい、これにともなって、レンズ成形金型１７によって成形されるセンサレンズ１の製造コストも上昇してしまうといった問題が生じていた。
【００１８】
さらに、金型１１、１２、１４、１６の個数が多いことにともなって、金型１１、１２、１４、１６同士の境界部に生じるバリ等のセンサレンズの成形不良が発生する確率が増加し、歩留まりが悪くなってしまうといった問題が生じていた。
【００１９】
さらに、従来のセンサレンズ１では、図１３に示すように、位置調整用凹部７の内側に薄肉部１９が成形されることを余儀なくされていた。
【００２０】
この薄肉部１９は、成形時において溶融樹脂材料を充填させることが難しく、形状を確保することが困難な部位とされていた。そして、この薄肉部１９の形状が悪ければ、薄肉部１９の近傍に存在するレンズ面２、３の形状にも悪影響が及ぶ結果となっていた。これにより、従来は、センサレンズ１が収差を適正に補正することができず、良好な光学性能を発揮することができないといった問題が生じていた。
【００２１】
このような問題は、センサレンズ１に限らず、位置調整用凹部を備えた回折格子等の他の光学素子においても同様であった。
【００２２】
そこで、本発明は、このような種々の問題に鑑みなされたものであり、金型の構成の簡素化、金型に要するコストの削減、光学素子の歩留まりの向上および光学素子の光学性能の確保を実現することができる光学素子および光学素子成形金型を提供することを目的とするものである。
【課題を解決するための手段】
【００２３】
前述した目的を達成するため、本発明の請求項１に係る光学素子の特徴は、所定の光学機能を有する光学機能面およびその保持部が同一材料で一体的に形成された光学素子であって、前記保持部の外周面上に、前記光学機能面の径方向における外側に向かって突出された位置調整用凸部を有し、前記位置調整用凸部に光学素子成形金型のゲート内で成形された部位を備えた点にある。
【００２４】
そして、この請求項１に係る発明によれば、光学素子の形状を、位置調整を適切に行うことができ、かつ、２個の金型によって成形することができ、さらに、成形後に金型から確実に取り出すことができる形状にすることが可能となる。この結果、金型の構成を簡素化して光学素子の製造設備を小型化することができる。また、金型に要するコストを削減することができる。さらに、バリ等の成形不良を有効に抑制して光学素子の歩留まりを向上させることができる。さらにまた、光学機能面に悪影響を与える薄肉部の成形を回避することができ、光学素子の光学性能を確保することができる。
【００２５】
また、請求項２に係る光学素子の特徴は、請求項１において、前記位置調整用凸部を摘んだ状態または前記位置調整用凸部に調整部材を嵌合させた状態で、前記位置調整用凸部を、光軸方向、前記光軸を中心とした回転方向、前記光軸方向に直交する前記位置調整用凸部の幅方向またはこれら各方向のうちの少なくとも２つの方向を合成させた合成方向に移動させることによって、前記位置調整用凸部を移動させる方向の位置調整が可能とされている点にある。
【００２６】
そして、この請求項２に係る発明によれば、更に、位置調整用凸部をより多様な方向に移動させてより微細な位置調整を行うことが可能となる。
【００２７】
さらに、請求項３に係る光学素子の特徴は、請求項１または２において、前記位置調整用凸部が、ゲート内成形部位とされている点にある。
【００２８】
そして、この請求項３に係る発明によれば、更に、ゲート内成形部位を位置調整用凸部とすることができるため、金型の基本構造を活用することができ、金型に要するコストをさらに削減することが可能となる。
【００２９】
さらにまた、請求項４に係る光学素子の特徴は、請求項１または２において、前記位置調整用凸部の前記径方向における外側位置に、ゲート内成形部位を有する点にある。
【００３０】
そして、この請求項４に係る発明によれば、更に、光学素子を、ゲート内成形部位とともに成形品から切断して分離する際に、ゲート内成形部位と光学素子の外周面との間に位置する位置調整用凸部によって、光学機能面に作用する切断の応力を低減させることが可能となる。この結果、光学機能面の形状をさらに確実に維持することでき、光学性能をさらに有効に確保することができる。また、ゲート内成形部位を位置調整用凸部と周方向における同じ位置に成形することによって、光学素子の外周面から突出する凸部が、周方向における複数の位置に点在することを防ぐことができるので、光学素子の外周面をより平滑な形状にすることが可能となる。この結果、光学素子をダイカスト等の基体に安定的に固定することができ、また、光学素子の凸部が光ピックアップ装置の他の部品を傷つけることを防止することができる。
【００３１】
請求項５に係る光学素子成形金型の特徴は、光学機能面が形成された光学素子を成形する光学素子成形金型であって、前記光学機能面を包囲する外周面上に、前記光学機能面の径方向における外側に向かって突出された位置調整用凸部を有する光学素子を成形可能とされ、かつ、上金型と下金型の２個の金型によって形成されている点にある。
【００３２】
そして、この請求項５に係る発明によれば、２個の金型によって位置調整を適切に行うことができる光学素子を成形することが可能となり、さらに、成形後の光学素子を金型から確実に取り出すことが可能となる。
【００３３】
請求項６に係る光学素子成形金型の特徴は、請求項５において、前記位置調整用凸部を摘んだ状態または前記位置調整用凸部に調整部材を嵌合させた状態で、前記位置調整用凸部を、光軸方向、前記光軸を中心とした回転方向、前記光軸方向に直交する前記位置調整用凸部の幅方向またはこれら各方向のうちの少なくとも２つの方向を合成させた合成方向に移動させることによって、前記位置調整用凸部を移動させる方向の位置調整が可能とされた光学素子を成形可能とされている点にある。
【００３４】
そして、この請求項６に係る発明によれば、更に、位置調整用凸部をより多様な方向に移動させてより微細な位置調整を行うことができる光学素子を成形することが可能となる。
【００３５】
請求項７に係る光学素子成形金型の特徴は、請求項５または６において、前記位置調整用凸部をゲート内で成形する点にある。
【００３６】
そして、この請求項７に係る発明によれば、更に、位置調整用凸部をゲート内で成形することができるため、金型の基本構造を活用することができ、金型に要するコストをさらに削減することが可能となる。
【００３７】
請求項８に係る光学素子成形金型の特徴は、請求項５または６において、前記位置調整用凸部の前記径方向における外側に対応する位置に、ゲートを有する点にある。
【００３８】
そして、この請求項８に係る発明によれば、更に、光学素子をゲート内成形部位とともに成形品から切断して分離する際に、位置調整用凸部によって光学機能面に作用する切断の応力を低減させることができる光学素子を成形することが可能となる。さらに、ダイカスト等の基体に安定的に固定することができ、また、光ピックアップ装置の他の部品を傷つけることを防止することができる光学素子を成形することが可能となる。
【発明の効果】
【００３９】
本発明に係る光学素子および光学素子成形金型によれば、金型の構成の簡素化、金型に要するコストの削減、光学素子の歩留まりの向上および光学素子の光学性能の確保を実現することができる。
【発明を実施するための最良の形態】
【００４０】
以下、本発明に係る光学素子および光学素子成形金型の実施形態について、図１〜図１１を参照して説明する。
【００４１】
〔光学素子および成形金型の実施の形態〕
図１〜図３は、本実施形態における光学素子の一例として、光学機能面としての第１レンズ面２（シリンドリカル面）および第２レンズ面３の２つのレンズ面２、３を有するレンズ本体５と、このレンズ本体５を包囲するように外側から保持する保持部としての円筒形状のホルダ６とが光透過性の樹脂材料（例えば、ＰＣ、ＰＭＭＡ、シクロオレフィンポリマー等のプラスチック）を射出成形することによって一体的に成形されたホルダ一体型のレンズ２１を示すものである。
【００４２】
このレンズ２１は、例えば、光ピックアップ装置２２（図１１参照）における受光素子２３の入射側の位置に配設されるセンサレンズとして用いることができる。
【００４３】
図１〜図３に示すように、本実施形態におけるレンズ２１は、レンズ面２、３を包囲する外周面上、すなわち、ホルダ６の外周面６ａ上に、レンズ２１の位置調整を行うための位置調整用凸部２５を有しており、この位置調整用凸部２５は、レンズ本体５およびホルダ６とともに一体的に成形されている。
【００４４】
この位置調整用凸部２５は、ホルダ６の外周面６ａからレンズ面２、３の径方向における外側に向かって突出された四角柱形状に形成されている。
【００４５】
そして、この位置調整用凸部２５を、手指またはピンセット状の調整部材（図示せず）によって摘んだ状態で、位置調整用凸部２５を移動させることにより、この位置調整用凸部２５を移動させる方向のレンズ２１の位置調整が可能となる。
【００４６】
あるいは、位置調整用凸部２５に嵌合する凹部２６が形成された調整部材２７（図２参照）を位置調整用凸部２５に嵌合させた状態で、調整部材２７の移動にともなって位置調整用凸部２５を移動させることにより、この位置調整用凸部２５を移動させる方向のレンズ２１の位置調整が可能となる。
【００４７】
なお、位置調整の方向、すなわち、位置調整用凸部２５を移動させる方向としては、例えば、光軸８方向、光軸８を中心とした回転方向、光軸８方向に直交する位置調整用凸部２５の幅方向またはこれら各方向のうちの少なくとも２つの方向を合成させた合成方向のいずれを選択するようにしてもよい。
【００４８】
また、位置調整用凸部２５の光軸８方向の寸法ａと幅方向の寸法ｂとの比（ａ：ｂ）は、１：１以上とされ、１：１であるとよい。ａまたはｂ：ｃ＝１以上：１であることが好ましい。さらに、位置調整用凸部２５の側面の径方向の寸法ｃ（図２参照）は、０．８ｍｍ以上であることが好ましい。このようにすれば、レンズ２１の位置調整の際に、位置調整用凸部２５をさらに確実に摘むことが可能となり、レンズ２１の位置調整をより安定的に行うことが可能となる。
【００４９】
さらに、位置調整用凸部２５の径方向における外側位置には、光学素子成形金型としてのレンズ成形金型２８におけるゲート内成形部位３０が成形されている。このゲート内成形部位３０は、位置調整用凸部２５よりも光軸８方向、幅方向および径方向の寸法が小さい四角柱形状に形成されている。
【００５０】
このような位置調整用凸部２５を有するレンズ２１は、図１、図２において二点鎖線で示すように、第１レンズ面２とともに位置調整用凸部２５の図１、図２における上半部を転写して成形する可動側の金型である下金型３１と、第２レンズ面３とともに位置調整用凸部２５の下半部を転写して成形する固定側の金型である上金型３２との２つのみの金型からなるレンズ成形金型２８によって成形することが可能とされている。
【００５１】
なお、下金型３１においては、ゲート内成形部位３０の図１、図２における上半部が成形され、上金型３２においては、ゲート内成形部位３０の下半部が成形されるようになっている。
【００５２】
すなわち、本実施形態における位置調整用凸部２５は、従来の位置調整用凹部７（図１２、１３参照）とは異なり、金型または成形品の光軸８方向への移動（換言すれば、成形品の取り出し動作）を妨げない形状を有しているため、２個のみの金型３１、３２によって位置調整用凸部２５を成形したとしても、成形品を金型から確実に取り出すことができる。
【００５３】
この結果、レンズ成形金型２８の構成を簡素化してレンズ２１の製造設備を小型化することができる。また、レンズ成形金型２８の製造、導入および運用に要する総コストを削減することができる。さらに、バリ等のレンズ２１の成形不良を有効に抑制してレンズ２１の歩留まりを向上させることができる。さらにまた、レンズ面２、３に悪影響を与える薄肉部１９（図１３参照）の成形を回避することができ、レンズ２１の光学性能を確保することができる。
【００５４】
さらに、本実施形態においては、位置調整用凸部２５の径方向における外側位置にゲート内成形部位３０が成形されているため、レンズ２１をゲート内成形部位３０とともに成形品から切断して分離する際に、ゲート内成形部位３０とホルダ６の外周面６ａとの間に位置する位置調整用凸部２５によって、レンズ面２、３に作用する切断の応力を低減させることが可能となる。この結果、レンズ面２、３の形状をさらに確実に維持することでき、レンズ２１の光学性能をさらに有効に確保することができる。
【００５５】
また、ゲート内成形部位３０を位置調整用凸部２５と周方向における同じ位置に成形することによって、レンズ２１の外周面６ａから突出する凸部２５、３０が、周方向における複数の位置に点在することを防ぐことができるので、レンズ２１の外周面６ａをより平滑な形状にすることが可能となる。この結果、レンズ２１をダイカスト等の基体に安定的に固定することができ、また、レンズ２１の凸部２５、３０が光ピックアップ装置の他の部品を傷つけることを防止することができる。
【００５６】
なお、位置調整用凸部２５は、図１〜図３に示した構成に限定されるものではなく、種々変更することができる。
【００５７】
例えば、図４および図５に示すように、ホルダ６の外周面６ａ上に、円柱形状の位置調整用凸部３４を成形してもよい。
【００５８】
この場合であっても、図４、図５において二点鎖線で示す上金型３５および下金型３６の２個のみの金型３５、３６からなるレンズ成形金型３７によって位置調整用凸部３４を有するレンズ３８を成形することが可能となり、成形品をレンズ成形金型３７から確実に取り出すことが可能となる。
【００５９】
また、図６および図７に示すように、ホルダ６の外周面６ａ上に、三角柱形状の位置調整用凸部４０を成形してもよい。
【００６０】
この場合であっても、図６、図７において二点鎖線で示す上金型４１および下金型４２の２個のみの金型４１、４２からなるレンズ成形金型４３によって位置調整用凸部４０を有するレンズ４５を成形することが可能となり、成形品をレンズ成形金型４３から確実に取り出すことが可能となる。
【００６１】
さらに、図８および図９に示すように、ゲート内成形部位４６を位置調整用凸部として機能させるようにしてもよい。この場合においても、図８、図９において二点鎖線で示す２個のみの金型（上金型４７、下金型４８）からなるレンズ成形金型３９によって、成形品を取り出し可能な状態に成形することができる。さらに、レンズ成形金型の基本構造を活用することができ、レンズ成形金型に要するコストをさらに削減することが可能となる。但し、ゲート内成形部位４６を位置調整用凸部として機能させるためには、ゲート内成形部位４６の形状および寸法が、レンズ４４の位置調整のために好適な形状または寸法であることを要する。また、第１レンズ面２と第２レンズ面３を、上記した上金型４７、下金型４８以外の金型を図１の上方側及び下方側に使用して成形することにより、光学素子を一体成形してもよい。
【００６２】
また、ホルダ６の形状についても、図１〜図３に示した円筒形状に限る必要はない。例えば、図１０に示すように、中空の四角柱形状のホルダ４９を採用してもよい。
【００６３】
さらに、前述した位置調整用凸部２５、３４、４０および位置調整用凸部として機能させるゲート内成形部位４６は、回折格子等のレンズ以外の光学素子にも有効に適用することができる。なお、位置調整用凸部２５、３４、４０およびゲート内成形部位４６を回折格子に適用する場合には、前述した第１レンズ面２の代りに格子溝が形成された格子面を成形し、第２レンズ面３の代りに平坦な光学面または格子面を成形すればよい。
【００６４】
〔光ピックアップ装置の実施の形態〕
次に、前述した位置調整用凸部２５を有するレンズ１および回折格子が搭載された光ピックアップ装置の一形態について、図１１を参照して説明する。
【００６５】
図１１に示すように、光ピックアップ装置２２は、波長６６０ｎｍのコヒーレントな光を出射するＤＶＤ用光源５２を有しており、このＤＶＤ用光源５２に対して光の出射側の位置には、位置調整用凸部２５を有する回折格子（以下、ＤＶＤ用回折格子５３と称する）が配置されている。
【００６６】
このＤＶＤ用回折格子５３は、位置調整用凸部２５を用いた位置調整が適切に行われた上で、光ピックアップ装置２２の図示しないダイカストに紫外線硬化接着剤等の固定手段を介して固定されている。
【００６７】
ＤＶＤ用回折格子５３は、ＤＶＤ用光源５２側から入射した光を、０次光および±１次光からなる３ビーム（以下、ＤＶＤ往路３ビームと称する）に変換して出射させる。
【００６８】
ＤＶＤ用回折格子５３に対してＤＶＤ往路３ビームの出射側の位置には、第１偏光プリズム５５が配置されており、この第１偏光プリズム５５には、ＤＶＤ用回折格子５３から出射されたＤＶＤ往路３ビームが入射する。そして、第１偏光プリズム５５は、ＤＶＤ用回折格子５３側から入射したＤＶＤ往路３ビームを反射させる。
【００６９】
第１偏光プリズム５５に対してＤＶＤ往路３ビームの反射側の位置には、第２偏光プリズム５６が配置されており、この第２偏光プリズム５６は、第１偏光プリズム５５によって反射されたＤＶＤ往路３ビームをそのまま透過させる。
【００７０】
第２偏光プリズム５６に対してＤＶＤ往路３ビームの透過側の位置には、コリメータレンズ５７が配置されており、このコリメータレンズ５７には、第２偏光プリズム５６を透過したＤＶＤ往路３ビームが入射する。そして、コリメータレンズ５７は、第２偏光プリズム５６側から入射したＤＶＤ往路３ビームを平行光に変換して出射させる。
【００７１】
コリメータレンズ５７に対してＤＶＤ往路３ビームの出射側の位置には、１／４波長板５９が配置されており、この１／４波長板５９には、コリメータレンズ５７から出射されたＤＶＤ往路３ビームが入射する。そして、１／４波長板５９は、コリメータレンズ５７側から入射したＤＶＤ往路３ビームを直線偏光から円偏光に変換して出射させる。
【００７２】
１／４波長板５９に対してＤＶＤ往路３ビームの出射側の位置には、対物レンズ６０が配置されており、この対物レンズ６０には、１／４波長板５９から出射されたＤＶＤ往路３ビームが入射する。そして、対物レンズ６０は、１／４波長板５９側から入射したＤＶＤ往路３ビームを収束光に変換して出射させる。
【００７３】
対物レンズ６０に対してＤＶＤ往路３ビームの出射側の位置には、ＤＶＤ６１が配置されており、このＤＶＤ６１の記録面には、対物レンズ６０から出射されたＤＶＤ往路３ビームが照射される。
【００７４】
ＤＶＤ６１の記録面に照射されたＤＶＤ往路３ビームは、この記録面において反射され、ＤＶＤ復路３ビームとして往路と逆方向に進行する。
【００７５】
すなわち、ＤＶＤ復路３ビームは、まず、対物レンズ６０において平行光に変換された後に、１／４波長板５９においてＤＶＤ往路３ビームとは偏光方向が直交する直線偏光に変換される。次いで、ＤＶＤ復路３ビームは、コリメータレンズ５７において収束光に変換された後に、第２偏光プリズム５６および第１偏光プリズム５５を順次透過する。
【００７６】
第１偏光プリズム５５に対してＤＶＤ復路３ビームの出射側の位置には、前述した位置調整用凸部２５を有するレンズ２１がセンサレンズとして配置されており、このレンズ２１には、第１偏光プリズム５５を透過したＤＶＤ復路３ビームが入射する。
【００７７】
このレンズ２１は、ＤＶＤ用回折格子５３と同様に、位置調整用凸部２５を用いた位置調整が適切に行われた上で、光ピックアップ装置２２のダイカストに紫外線硬化接着剤等の固定手段を介して固定されている。
【００７８】
レンズ２１は、第１偏光プリズム５５側から入射したＤＶＤ復路３ビームに非点収差を発生させるとともに、このＤＶＤ復路３ビームを収束光に変換して出射させる。
【００７９】
レンズ２１に対してＤＶＤ復路３ビームの出射側の位置には、ＰＤＩＣ等の受光素子２３が配置されており、この受光素子２３の受光面には、レンズ２１から出射されたＤＶＤ復路３ビームが入射する。
【００８０】
そして、光ピックアップ装置２２は、受光素子２３の受光面によって検出されたＤＶＤ復路３ビームに基づいて、ＤＶＤ６１に対する情報の記録または再生を行うことができる。このとき、ＤＶＤ用回折格子５３およびレンズ２１の位置調整が適切に行われているため、ＤＶＤ６１に対する情報の記録または再生を適正に行うことができる。
【００８１】
上記構成に加えて、さらに、図１１に示す光ピックアップ装置２２は、波長７８０ｎｍのコヒーレントな光を出射するＣＤ用光源６３を有しており、このＣＤ用光源６３に対して光の出射側の位置には、位置調整用凸部２５を有する回折格子（以下、ＣＤ用回折格子６４と称する）が配置されている。
【００８２】
このＣＤ用回折格子６４は、ＤＶＤ用回折格子５３およびレンズ２１と同様に、位置調整用凸部２５を用いた位置調整が適切に行われた上で、光ピックアップ装置２２のダイカストに紫外線硬化接着剤等の固定手段を介して固定されている。
【００８３】
ＣＤ用回折格子６４は、ＣＤ用光源６３側から入射した光を、０次光および±１次光からなる３ビーム（以下、ＣＤ往路３ビームと称する）に変換して出射させる。
【００８４】
ＣＤ用回折格子６４に対してＣＤ往路３ビームの出射側の位置には、前述した第２偏光プリズム５６が配置されている。
【００８５】
ＣＤ用回折格子６４から出射されたＣＤ往路３ビームは、第２偏光プリズム５６によってコリメータレンズ５７側に反射された後に、ＤＶＤ往路３ビームと同様に、コリメータレンズ５７、１／４波長板５９および対物レンズ６０を経てＣＤ６５の記録面上に照射される。
【００８６】
そして、ＣＤ６５の記録面上に照射されたＣＤ往路３ビームは、このＣＤ６５の記録面によって反射され、ＣＤ復路３ビームとして往路と逆方向に進行する。
【００８７】
すなわち、ＣＤ復路３ビームは、対物レンズ６０、１／４波長板５９およびコリメータレンズ５７を経て第２偏光プリズム５６に入射する。
【００８８】
第２偏光プリズム５６に入射したＣＤ復路３ビームは、往路とは偏光方向が直交しているため、第２偏光プリズム５６をそのまま透過する。
【００８９】
第２偏光プリズム５６を透過したＣＤ復路３ビームは、第１偏光プリズム５５およびレンズ２１を経て受光素子２３の受光面に入射する。
【００９０】
そして、光ピックアップ装置２２は、受光素子２３の受光面によって検出されたＣＤ復路３ビームに基づいて、ＣＤ６５に記録されている情報の再生を行うことができる。このとき、ＣＤ用回折格子６４およびレンズ２１の位置調整が適切に行われているため、ＣＤ６５に記録されている情報を適正に再生することができる。
【００９１】
以上述べたように、上記の実施形態におけるレンズ２１、３８、４５、４７およびレンズ成形金型２８、３７、４３によれば、レンズの形状を、位置調整を適切に行うことができ、かつ、２個のみの金型（下金型３１、３６、４２、４８および上金型３２、３５、４１、４７）によって成形することができ、さらに、成形後に金型から確実に取り出すことができる形状にすることが可能となる。
【００９２】
この結果、レンズ成形金型の構成の簡素化、レンズ成形金型の製造、導入および運用に要するコストの削減、レンズの歩留まりの向上およびレンズの光学性能の確保を実現することができる。
【００９３】
なお、本発明は、前述した実施の形態に限定されるものではなく、必要に応じて種々の変更が可能である。
【００９４】
例えば、位置調整用凸部を、ホルダを備えないレンズに適用してもよいことは勿論である。この場合には、位置調整用凸部をレンズ本体の外周面に直接成形することになるが、このようなレンズであっても、２個のみの金型によって成形することができ、かつ、成形品を金型から確実に取り出すことができる。
【００９５】
また、レンズのホルダの外周面の形状は、図３に示す平面円形状または図１０に示す平面正方形に限る必要はなく、レンズを固定するダイカストの形状等のコンセプトに応じて種々の形状を選択することができる。例えば、レンズのホルダの外周面の形状は、一部が直線状で、一部が円弧状であってもよい。このことは、位置調整用凸部を回折格子等のレンズ以外の光学素子に適用する場合においても同様である。
【００９６】
さらに、光学素子を位置調整後にダイカストに固定する際には、光ピックアップ装置等の光学装置の薄型化を図るために、位置調整用凸部２５を光学装置の幅方向やその方向に類する方向に向けた状態で、光学素子をダイカストに固定するようにしてもよい。
【図面の簡単な説明】
【００９７】
【図１】本発明に係る光学素子および光学素子成形金型の実施形態において、レンズをレンズ成形金型とともに示す正面図
【図２】図１のレンズを調整部材とともに示す図１の２−２断面図
【図３】図１のレンズを示す平面図
【図４】本発明に係る光学素子および光学素子成形金型の実施形態において、図１と異なるレンズの一形態をレンズ成形金型とともに示す正面図
【図５】図４の５−５断面図
【図６】本発明に係る光学素子および光学素子成形金型の実施形態において、図１および図４と異なるレンズの一形態をレンズ成形金型とともに示す正面図
【図７】図６の７−７断面図
【図８】本発明に係る光学素子および光学素子成形金型の実施形態において、図１、図４および図６と異なるレンズの一形態をレンズ成形金型とともに示す正面図
【図９】図８の９−９断面図
【図１０】本発明に係る光学素子の実施形態において、図１のレンズとホルダの形状が異なるレンズの一形態を示す平面図
【図１１】本発明に係る光学素子の実施形態において、レンズおよび回折格子を搭載した光ピックアップ装置を示す構成図
【図１２】従来から採用されているレンズの一例を示す正面図
【図１３】図１２のレンズを調整部材とともに示す図１２の１３−１３断面図
【図１４】図１２のレンズを成形するためのレンズ成形金型を示す構成図
【符号の説明】
【００９８】
２  第１レンズ面
３  第２レンズ面
８  光軸
２１  レンズ
２５  位置調整用凸部
２８  レンズ成形金型
【図１】
2007121512.tif 000003
【図２】
2007121512.tif 000004
【図３】
2007121512.tif 000005
【図４】
2007121512.tif 000006
【図５】
2007121512.tif 000007
【図６】
2007121512.tif 000008
【図７】
2007121512.tif 000009
【図８】
2007121512.tif 000010
【図９】
2007121512.tif 000011
【図１０】
2007121512.tif 000012
【図１１】
2007121512.tif 000013
【図１２】
2007121512.tif 000014
【図１３】
2007121512.tif 000015
【図１４】
2007121512.tif 000016